(57)【要約】【課題】収納箱付ベッドフレームの収納部の十分な活用が出来なかったことを解決することである。【解決手段】上方が開口した収納箱と該収納箱の上を覆うボトムを有し、該ボトムが外枠と内側ボトムよりなり、長手方向一方端側両側の外枠と収納箱との間に回動リンクを回動自在に連結し、該回動リンクよりも長手方向他方端側寄り両側の外枠と収納箱との間にガスシリンダーを回動自在に取付けてなり、長手方向他方端側の外枠に内側ボトムが回動自在に連結されるとともに、連結されている回動点より長手方向一方端側寄り両側の外枠と内側ボトムとの間に別のガスシリンダーを回動自在に取付けたことを特徴とする両開き式収納箱付ベッドフレーム。 【選択図】図１
2006167265.tif 000002
【特許請求の範囲】
【請求項１】
上方が開口した収納箱と該収納箱の上を覆うボトムを有し、該ボトムが外枠と内側ボトムよりなり、長手方向一方端側両側の外枠と収納箱との間に回動リンクを回動自在に連結し、該回動リンクよりも長手方向他方端側寄り両側の外枠と収納箱との間にガスシリンダーを回動自在に取付けてなり、長手方向他方端側の外枠に内側ボトムが回動自在に連結されるとともに、連結されている回動点より長手方向一方端側寄り両側の外枠と内側ボトムとの間に別のガスシリンダーを回動自在に取付けたことを特徴とする両開き式収納箱付ベッドフレーム。
【請求項２】
長手方向一方端側の外枠と内側ボトムとの間に内側ボトムの回動を固定及び解除可能とするストッパー装置を有している請求項１記載の両開き式収納箱付ベッドフレーム。  
【発明の詳細な説明】
【技術分野】
【０００１】
本発明は、両開き式の収納箱付ベッドフレームに関するものである。
【背景技術】
【０００２】
上方が開口した矩形な収納箱の上に矩形なパネル状のボトムを有し、該収納箱のヘッド側の長手方向内面とボトムの間に回動リンクを設けるとともに、回動リンクよりもフット寄りの収納箱とボトムの間にガスシリンダーを回動自在に取付けてフット側からボトムを起伏開閉することにより収納箱内を収納スペースとして使用するベッドフレームは有った。
【０００３】
上記の収納箱付ベッドフレームの上にマットレスを載置してベッドとして使用するものは、従来のベッドフレームの下の引出を備えた引出付きベッドフレームに比べボム下面全体のスペースを収納部として使用できるため、長尺ものや、ふとんや毛布のような大きくてかさばるものも収納することができるため、非常に有用に使用されていた。
【０００４】
また上記の収納箱付ベッドフレームの場合、ガスシリンダーの圧力がマットレスを載置した状態で重量バランスが取れるように設定されているためにマットレスを取り除くとボトム部分が自動的に回動起伏して危険であることで、フット側の収納箱とボトムとの間にボトムが水平状態の際に回動を固定する解除可能なストッパー装置を有したものも有った。
【０００５】
しかしながら、前述した収納箱付ベッドフレームの場合にはボトムの開閉操作がベッドの長手方向の片側からのみに限定されているために、ボトムの開閉側と対抗する収納箱の奥のスペースについてはボトムの開閉部分が小さく、回動リンクが邪魔になり、収納物の出し入れが容易に行えなく、また収納物の出し入れの際にボトムが下降したりすると回動リンクに手が挟まれる危険性もあるため、せっかくの大おきな収納スペースを有しながら、ボトムの開閉と対抗する奥の収納スペースの十分な活用がなされないという欠点があった。
【特許文献１】実告昭５６−４１５８３号公報
【特許文献２】実開昭６３−４７７５１号公報
【発明の開示】
【発明が解決しようとする課題】
【０００６】
解決しようとする問題点は、収納箱付ベッドフレームの収納部の十分な活用が出来なかったことを解決することである。
【課題を解決するための手段】
【０００７】
上方が開口した収納箱１と該収納箱１の上を覆うボトム２を有し、該ボトム２が外枠３と内側ボトム４よりなり、長手方向一方端側５両側の外枠３と収納箱１との間に回動リンク６，６´を回動自在に連結し、該回動リンク６，６´よりも長手方向他方端側７寄り両側の外枠３と収納箱１との間にガスシリンダー８，８´を回動自在に取付けてなり、長手方向他方端側７の外枠３に内側ボトム４が回動自在に連結されるとともに、連結されている回動点９より長手方向一方端側５寄り両側の外枠３と内側ボトム４との間に別のガスシリンダー１０，１０´を回動自在に取付けたことを特徴とする両開き式収納箱付ベッドフレームである。
【０００８】
前記、長手方向一方端側５の外枠３と内側ボトム４との間に内側ボトム４の回動を固定及び解除可能とするストッパー装置１１を有している両開き式収納箱付ベッドフレームである。  
【発明の効果】
【０００９】
本発明の両開き式の収納箱ベッドフレームは、ボトム２が外枠３と内側ボトム８よりなり、外枠３と収納箱１が長手方向一方端側５の両側で回動リンク６，６´により回動自在に連結されており、該回動リンク６，６´よりも長手方向他方端側７寄り両側の外枠３と収納箱１との間にガスシリンダー８，８´を回動自在に取付けてある点と長手方向他方端側７の外枠３に内側ボトム４が回動自在に連結されるとともに連結されている回動点９より長手方向一方端側５寄り両側の外枠３と内側ボトム４との間に別のガスシリンダー１０，１０´を回動自在に取付けたことにより、ボトム２を長手方向他方端側７から起伏さす場合には外枠３と内側ボトム４が長手方向他方端側７の回動点９で連結されたものであるため内側ボトム４単独では回動できず外枠３と一体に回動起伏し、逆に長手方向一方端側からボトム２を回動起伏さす際には、収納箱１と外枠３が長手方向一方端側５で回動リンクにより連結されていることで外枠３は回動起伏できず内側ボム４のみが回動点９を回転軸として回動起伏する構造となっていることにより、ボトム２の回動起伏を一方側のみに限定することなく他方側からも回動起伏でき、収納箱１内の収納物として長尺ものやふとん、毛布のように嵩張るものでも安全で容易な出し入れが可能となり、収納箱１内のスペースを収納スペースとして十分に活用することができる。
【発明を実施するための最良の形態】
【００１０】
ボトム２は外枠３と内側ボトム８よりなり、外枠３と収納箱１が長手方向一方端側５の両側で回動リンク６，６´により回動自在に連結されており、該回動リンク６，６´よりも長手方向他方端側７寄り両側の外枠３と収納箱１との間にガスシリンダー８，８´を回動自在に取付けてある点と、長手方向他方端側７の外枠３に内側ボトム４が回動自在に連結されるとともに連結されている回動点９より長手方向一方端側５寄りの両側の外枠３と内側ボトム４との間に別のガスシリンダー１０，１０´を回動自在に取付けたことにより、ボトム２をベッドフレームの長手方向一方端側５あるいは長手方向他方端側７のどちら側からでも回動起伏可能とした。
【実施例１】
【００１１】
図１は、本発明の１実施例の全体斜視図を示すもので、収納箱１は一対の長手方向板体１２，１２´と一対の幅方向板１３，１３´を連結金具１４で連結して矩形枠１５を形成し、該矩形枠１５の底面に底板１６をL型連結金具１７で連結しているが、上方が開口した一体に形成されたものでもかまわない。
【００１２】
ボトム２は収納箱１の開口部１８の大きさよりやや大きめで、開口部１８の全体が覆えるものとなっており、ボトム２の上に規定の重量のマットレスを載置した状態で収納箱１の開口部１８全体を塞ぐように水平を保つようになっている。
【００１３】
ボトム２は外枠３と内側ボトム４よりなり、外枠３の長手方向内側面に内側ボトム４を支持する受桟１９が取付けてあり、内側ボトム４は矩形な枠体２０の長手方向内側にパネル板２１が載置できるように長尺のＬ型チャンネル２２が取付けてあり、矩形な枠体２０の長手方向外側にも、外枠３の受桟１９に係止して内側ボトム４がそれ以上下降しないようにＬ型チャナネル２２が取付けてある。
【００１４】
図１及び図２に示すように、回動リンク６は上固定バー２３と下固定バー２４間に第１回動バー２５と第２回動バー２６が回動自在に連結された略台形状をしたもので、長手方向一方端側７両側の収納箱１の長手方向板体１２の内側に下固定バー２３が固定され、ボトム２の外枠３の下側に上固定バー２３が固定されている。
【００１５】
ガスシリンダー８は、回動リンク６が固定されている箇所よりも長手方向他方端側７寄り両側の外枠３の下面と底板１６に固定されている連結具２７，２７´間に回動可能に連結されている。該ガスシリンダー８のタイプはフリータイプのものでも、ストッパータイプのものでもかまわないが、安全のためには、内側ボトム４のみが回動起伏した状態で外枠３が回動起伏しないようにストッパータイプのものの方が好ましい。
【００１６】
図３はマットレス２８をボトム２上に載置した状態で、長手方向他方端側７からボトム２全体を回動起伏した状態を示すもので、内側ボトム４の回動点９が長手方向他方端側７の両側に位置していることで、長手方向他方端側７から回動起伏した場合、内側ボトム４単独で回動起伏する力がかからず、外枠３とともに全体が回動起伏するものである。ただボトム２全体が回動起伏している状態で、載置してあるマットレス２８を取り除いた場合には、内側ボトム４と外枠３との間に取付けてある別のガスシリンダー１０，１０´の働きで、回動点９を軸点として内側ボトム４が回動起伏して図１に示すようにボトム２がＺ状に開く可能性があり危険であるため、内側ボトム４と外枠３の間に内側ボトム４の回動を止めるストッパー装置１１を有したものの方が好ましい。  
【００１７】
外枠３の長手方向一方端側５と内側ボトム４の矩形な枠体２０の長手方向他方端側７にボトム２を回動起伏した場合にマットレス２８がズレないように柵３０，３０´が取付けてある。
【００１８】
図４はマットレス２８をボトム２上に載置した状態で、長手方向一方端側５から内側ボトム４を回動起伏した状態を示すもので、図５は図４の部分拡大図で別のガスシリンダー１０の取付け状態を示すものである。内側ボトム４の枠体２０は、長手方向他方端側７両側の回動点９に回動自在に軸支されており、別のガスシリンダー１０は、回動点９よりも長手方向一方端側５寄りの外枠３と内側ボトム４の枠体２０との間に連結具２７，２７´で回動自在に連結固定されている。外枠３側の連結具２７は、外枠３の内側に固定された連結具固定用のプレート２９の下方に固定されている。これは外枠３と内側ボム４が水平な同一平面上に位置している場合に、別のガスシリンダー１０が傾斜位置になるようにし、内側ボトム４の回動傾斜に有効な力が働くようにしたものである。
【産業上の利用可能性】
【００１９】
本発明の構造体は収納箱の蓋となるボトム部を左右どちら側からでも容易に開閉でき、収納箱の空間スペースを収納物のスペースとして有効に使用できるものであり、ベッドの長手方向の左右に限定するものではなく、ベッドの幅方向左右からのボトム部を開閉するものにも適用できるとともに、ベッド以外にもソファーの下部やテーブルの下部の構造にも適用することができるものである。
【図面の簡単な説明】
【００２０】
【図１】本発明の一実施例を示す全体斜視図である。
【図２】図１の回動リンクとガスシリンダーの取付状態を示す部分拡大斜視図である。
【図３】本発明の一実施例における、マットレスをボトム上に載置した状態で、長手方向他方端側からボトム全体を回動起伏した状態を示す全体斜視図である。
【図４】本発明の一実施例における、マットレスをボトム上に載置した状態で、長手方向一方端側から内側ボトムを回動起伏した状態を示す全体斜視図である。
【図５】図４の別のガスシリンダー１０の取付状態を示す部分拡大斜視図である。
【符号の説明】
【００２１】
１            収納箱
２            ボトム
３            外枠  
４            内側ボトム
５            長手方向一方端側
６，６´      回動リンク
７            長手方向他方端側
８，８´      ガスシリンダー
９            回動点
１０，１０´  別のガスシリンダー
１１          ストッパー装置            
【図１】
2006167265.tif 000003
【図２】
2006167265.tif 000004
【図３】
2006167265.tif 000005
【図４】
2006167265.tif 000006
【図５】
2006167265.tif 000007
【手続補正書】
【提出日】平成16年12月17日(2004.12.17)
【手続補正１】
【補正対象書類名】図面
【補正対象項目名】図３
【補正方法】変更
【補正の内容】
【図３】
2006167265.tif 000008